(57)【要約】【課題】本発明は、玉砂利がシート内で不均一にならず、設置が容易で重量の軽い温熱ユニットを提供することを目的とする。また、本発明は、平置きのみならず縦置きが可能な温熱ユニットを提供することを目的とする。【解決手段】  上記目的を達成させるために、本発明に係る温熱ユニットは、所定の数量の玉砂利を２枚の布の間に整列配置し、２枚の布を個別の玉砂利ごとにその周囲で縫着することにより、収納室が多数形成された温熱ユニットであって、温熱ユニットの一方の面に面状発熱体を積層することにより、玉砂利が所要の温度に加熱されることを特徴とする。【選択図】図２
2012040212.tif 000002
【特許請求の範囲】
【請求項１】
所定の数量の玉砂利を２枚の布の間に整列配置し、前記２枚の布を個別の前記玉砂利ごとにその周囲で縫着することにより、収納室が多数形成された玉砂利保持体と、
前記玉砂利保持体の一方の面に積層される面状発熱体とを備え、
前記玉砂利が前記面状発熱体によって所要の温度に加熱される温熱ユニット。
【請求項２】
前記２枚の布の一方と前記玉砂利との間に遠赤外線機能体を配置することを特徴とする請求項１に記載の温熱ユニット。
【請求項３】
前記玉砂利は那智石であることを特徴とする請求項１または２に記載の温熱ユニット。
【請求項４】
前記遠赤外線機能体は炭化綿であることを特徴とする請求項２または３に記載の温熱ユニット。
【請求項５】
前記布は不織布であることを特徴とする請求項１ないし４に記載の温熱ユニット。
【請求項６】
請求項１ないし５に記載の温熱ユニットと、
前記温熱ユニットを収納するポケットと、
前記ポケットを人体に装着する装着機構と、
を備えた人体装着型の温熱装置。
【請求項７】
利用者が横臥して利用する温熱装置であって、
ベッド基台と、
前記ベッド基台に載置した断熱基材と、
前記断熱基材の上に載置した請求項１ないし５に記載の温熱ユニットと、
を備えたベッド型の温熱装置。
【請求項８】
利用者が座って利用する温熱装置であって、
請求項１ないし５に記載の温熱ユニットと、
前記温熱ユニットを収納するポケットと、
利用者の腰部、肩部、臀部または足裏が接する腰掛けの面に前記ポケットを装着する装着機構と、
を備えた腰掛け装着型の温熱装置。
【発明の詳細な説明】
【技術分野】
【０００１】
本発明は、利用者に対する温熱効果を奏する温熱ユニットに関する。
【背景技術】
【０００２】
従来より温熱効果を利用した健康設備が種々提供されている。近年、特に岩盤浴は、岩盤及び石板が温められた床面の上に仰臥し汗をかくサウナ形式の浴場であり、発汗作用によって新陳代謝を高め、美容と健康の増進を図るものとして一般に広く利用されている。しかし、上記のような岩盤浴は、大がかりな設備を要するため、一般家庭で設置することは容易でない。
【０００３】
そこで、本件出願人は、実用新案登録第３１３３５１０号に係る健康マットを考案した。図９を参照すると、この発明は、マット基材１０２の上に面状ヒーター１０３を配置し、この面状ヒーター１０３の上に袋１０６に詰めた玉砂利１０４を配置し、これらマット基材１０２、面状ヒーター１０３及び袋詰め玉砂利１０４をカバー１０７で被包したもので、面状ヒーター１０３によって玉砂利１０４を所要温度に加熱するようにしたものである。すなわち、本件出願人は、一般家庭においても簡単に設置できかつ手軽に使用でき、しかも十分な温熱効果を奏することができる健康マットを考案したものである。
【０００４】
【特許文献１】実用新案登録第３１３３５１０号
【発明の開示】
【発明が解決しようとする課題】
【０００５】
しかしながら、上述の健康マットには以下の問題があった。
【０００６】
第１の問題は、使用者が上述健康マットを使用するとき、使用者の体に当たる部分の玉砂利を均一にする手間を必要とすることである。図９に示すように、玉砂利は扁平なメッシュ状の袋に詰め込まれ、袋内で２〜３段位に積み重ねられているが、袋内に仕切りがないため、玉砂利の詰め込まれた袋を面状ヒーターの上に配置するとき、袋内において玉砂利のばらつきが生じることが多い。そのため使用者が上述健康マットを使用するとき、使用者の体に当たる部分の玉砂利を均一にならす必要が生じてしまう。もし、袋内における玉砂利のばらつきを生じにくくするため玉砂利をできるだけ多く袋に詰め込んだ場合、袋の重量が重くなってしまい、使用者が健康マットに玉砂利の入った袋を設置する際、作業に負担を生じることとなる。
【０００７】
第２の問題は、上述健康マットは平置きにはできるものの、縦置きにはできないことである。すなわち、袋に詰め込まれた玉砂利を縦置きにすると玉砂利は重力に従いすべて下方向に移動するため形が大きく変形してしまい、例えば、使用者が座った姿勢において、肩や背中に上述健康マットを縦置きで使用することはできなかった。
【０００８】
上記問題点に鑑み、本発明は、玉砂利が袋内で不均一にならず、設置が容易で重量の軽い温熱ユニットを提供することを目的とする。また、本発明は、平置きのみならず縦置きが可能な温熱ユニットを提供することを目的とする。
【課題を解決するための手段】
【０００９】
上記目的を達成させるために、本発明に係る温熱ユニットは、所定の数量の玉砂利を２枚の布の間に整列配置し、前記２枚の布を個別の前記玉砂利ごとにその周囲で縫着することにより、収納室が多数形成された玉砂利保持体と、前記玉砂利保持体の一方の面に積層される面状発熱体とを備える温熱ユニットであって、前記玉砂利が前記面状発熱体によって所要の温度に加熱されることを特徴とする。
【００１０】
なお、玉砂利保持体に係る２枚の布の一方と玉砂利との間に遠赤外線機能体を配置してよい。
【００１１】
また上述の玉砂利は那智石が好適であるが、これに限定されない。
【００１２】
さらに、上述の遠赤外線機能体は炭化綿とすることができるが、遠赤外線を放射するものであればよい。
【００１３】
さらにまた、上述の布は不織布であってよいが、特に限定するものではない。
【００１４】
また、本発明に係る人体装着型の温熱装置は、上述の本発明に係る温熱ユニットと、該温熱ユニットを収納するポケットと、該ポケットを人体に装着する装着機構とを備えることを特徴とする。
【００１５】
さらに、本発明に係るベッド型の温熱装置は、利用者が横臥して利用する温熱装置であって、ベッド基台と、ベッド基台に載置した断熱基材と、断熱基材の上に載置した上述の本発明に係る温熱ユニットとを備えることを特徴とする。
【００１６】
さらにまた、本発明に係る腰掛け装着型の温熱装置は、利用者が座って利用する温熱装置であって、上述の本発明に係る温熱ユニットと、該温熱ユニットを収納するポケットと、利用者の腰部、肩部、臀部または足裏が接する腰掛けの面に該ポケットを装着する装着機構とを備えることを特徴とする。
【発明の効果】
【００１７】
本発明の温熱ユニットによれば、玉砂利が個別に布の収納室に格納されるため、玉砂利が袋内で不均一になることがない。また、使用する玉砂利の数量は従来の使用量よりも少量で済むため、軽量化が可能となり、かつ材料費用も安価とすることができる。
【００１８】
さらに、本発明の温熱ユニットによれば、平置きのみならず縦置きにも使用できる。
【００１９】
またさらに、例えば炭化綿のような遠赤外線機能体を布と玉砂利との間に配設することにより、遠赤外線効果を高め、じんわりと体を温めることができる。また、炭化綿を備えることにより、消臭・脱臭効果や抗菌・防湿効果も得られる。
【図面の簡単な説明】
【００２０】
【図１】本発明に係る温熱ユニットを模式的に示す図である。
【図２】実施例１に係る本発明の温熱ユニットの構成要素である玉砂利保持体を模式的に示す図であり、（ａ）は、玉砂利保持体の斜視図であり、（ｂ）は玉砂利保持体の一部の拡大図である。
【図３】実施例１に係る本発明の温熱ユニットの構成要素である玉砂利保持体の製造工程と内部構造を簡単に説明する図である。（ａ）は２枚の布により縫着される前の玉砂利の状態を示す縦断面図であり、（ｂ）は２枚の布により縫着された後の玉砂利の状態を示す縦断面図であり、（ｃ）は、（ｂ）の平面図である。
【図４】実施例２に係る本発明の温熱ユニットの構成要素である玉砂利保持体の製造工程と内部構造を簡単に説明する図である。（ａ）は２枚の布により縫着される前の玉砂利の状態を示す縦断面図であり、（ｂ）は２枚の布により縫着された後の玉砂利の状態を示す縦断面図である。
【図５】本発明に係る温熱ユニットを備える人体装着型の温熱装置を示す図であり、（ａ）は平面図、（ｂ）は横断面図である。
【図６】本発明に係る温熱ユニットを備えるベッド型の温熱装置を示す図であり、（ａ）は斜視図、（ｂ）は平面図、（ｃ）は長手方向の縦断面図、（ｄ）は短手方向の縦断面図である。
【図７】図６に係る温熱装置について使用の状況を示す長手方向の断面図である。
【図８】本発明に係る温熱ユニットを備える腰掛け装着型の温熱装置の使用の状況を模式的に示す図である。
【図９】従来の温熱マットを示す斜視図である。
【発明を実施するための形態】
【００２１】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限られるものではない。
【実施例１】
【００２２】
実施例１を図面を参照して詳細に説明する。
【００２３】
図１は本発明に係る温熱ユニット１を模式的に示す図である。図１によると、温熱ユニット１は平置きされており、温熱ユニット１は、後述する玉砂利が縫着されて多数の収納室を備える玉砂利保持体２と、該玉砂利保持体２の一方の面に積層される面状発熱体３から構成されている。図１においては、平置きされた面状発熱体３の上に玉砂利保持体２が配設されて示されているが、玉砂利保持体２の上に面状発熱体３が積層されてもよい。また、温熱ユニット１は縦置きにすることもできる。
【００２４】
次に図２を参照する。図２は、実施例１に係る温熱ユニット１の構成要素である玉砂利保持体２を模式的に示す図であり、（ａ）は、玉砂利保持体２の斜視図であり、（ｂ）は玉砂利保持体２の一部の拡大図である。図２（ａ）によると、玉砂利保持体２は、矩形の外周を有し、２枚の布４ａ、４ｂに玉砂利５（図に示されない）が整列配置された状態で重ね合わされ、個別の玉砂利５ごとに縫着されている。図２（ｂ）は、１枚の布４ｂの上に玉砂利５を整列配置した状態を示しており、所定の数量の玉砂利５が整列配置された後、その上にもう１枚の布４ａ（図に示されない）が重ね合わされ縫着される。
【００２５】
図３を参照する。図３は、実施例１に係る本発明の温熱ユニット１の構成要素である玉砂利保持体２の製造工程と内部構造を簡単に説明する図である。（ａ）は２枚の布４ａ、４ｂにより縫着される前の玉砂利５の状態を示す縦断面図であり、（ｂ）は２枚の布４ａ、４ｂにより縫着された後の玉砂利５の状態を示す縦断面図であり、（ｃ）は、（ｂ）の平面図である。
【００２６】
実施例１に係る温熱ユニット１の構成要素である玉砂利保持体２の製造は、まず、図３（ａ）に示すように、所定の数量の玉砂利５を２枚の布４ａ、４ｂの間に所定間隔にて整列配置する。次に、図３（ｂ）に示すように、個別の玉砂利５ごとにその周囲で２枚の布４ａ、４ｂを縫着することにより、収納室６を多数形成する。なお、図３において、縫着する部分は符号Ｓで示している。例えば、２枚の布４ａ、４ｂは機械縫いまたは手縫いにより縫い糸で縫着され、各玉砂利５の周囲が縫着されている。なお、図３（ｂ）の例では、縫着強度を高めるため二重縫いがなされているが、二重に限定されず、一重でもよいしまたは多重に縫着されてよい。また、布４ａ、４ｂは不織布が好適であるが、限定されない。また、温熱効果を増すために、遠赤外線効果を有する炭化物が練り込まれた布でもよい。なお、人体に接する面は、２枚の布４ａ、４ｂのいずれの面でもよい。
【００２７】
図３（ｃ）は玉砂利５が布４ａ，４ｂにより縫着されている様子を平面から示した図であるが、玉砂利５の輪郭に沿って布４ａ，４ｂが縫着されていることが分かる。なお、内部の玉砂利５の輪郭は略楕円形であり、点線で示されている。
【００２８】
さらに、収納室６のそれぞれの大きさは、１個の玉砂利５が収納室６に収納される大きさであればよく、玉砂利５を密封する必要はない。すなわち、収納室６の中で玉砂利５が上下左右に動くことがあってもよい。
【００２９】
なお、実施例１において、玉砂利５は、天然産のもの、例えば和歌山県那智産の那智石、通称「那智黒」と呼ばれるものを使用するが、玉砂利５の大きさが直径２〜４ｃｍ程度の扁平のものであればよく、那智石に限定されない。玉砂利５は加熱されると、遠赤外線を放射し、遠赤外線の有するエネルギーは、皮膚表面から約２００μｍの深さで、ほとんど吸収されて熱に変換される。この熱は血液等により体の芯まで効率よく伝わり体を温める。また、玉砂利５の扁平球の形状は、人の体重がかかると皮膚を傷つけずに適度に押圧する形状であるため体の芯に近いところで熱を発することができる上、一定の指圧効果を奏する。
【実施例２】
【００３０】
次に、実施例２を図面を参照して詳細に説明する。
【００３１】
図４を参照する。図４は、実施例２に係る本発明の温熱ユニットの構成要素である玉砂利保持体１２の製造工程と内部構造を簡単に説明する図である。（ａ）は２枚の布１４ａ、１４ｂにより縫着される前の玉砂利１５の状態を示す縦断面図であり、（ｂ）は２枚の布１４ａ、１４ｂにより縫着された後の玉砂利１５の状態を示す縦断面図である。
【００３２】
図４（ａ）は、２枚の布１４ａ、１４ｂに整列配置された玉砂利１５と、布１４ａとの間に、遠赤外線機能体１７が配設され、玉砂利１５とともに縫着される前の状態を示している。一方、図４（ｂ）は、縫着された状態を示している。なお、符号Ｓは縫着する部分を示している。
【００３３】
実施例２に係る温熱ユニットの構成要素である玉砂利保持体１２の製造は、図４（ａ）に示すように、２枚の布１４ａ、１４ｂの間に遠赤外線機能体１７を配設し、所定の数量の玉砂利１５を遠赤外線機能体１７と布１４ｂの間に所定間隔にて整列配置する。次に、図４（ｂ）に示すように、個別の玉砂利１５ごとにその周囲で２枚の布１４ａ、１４ｂを縫着することにより、収納室１６を多数形成する。なお、図４において、縫着する部分は符号Ｓで示している。
【００３４】
遠赤外線機能体１７は炭化綿が好ましいが、遠赤外線効果を有する布状のものであればよい。なお、使用にあたっては、遠赤外線機能体１７が配設されている側の面が人体に接するように使用する。遠赤外線機能体１７から放射される遠赤外線が効率的に人体に到達するし、温熱効果が高くなるからである。
【実施例３】
【００３５】
実施例３を図面を参照して詳細に説明する。
【００３６】
図５は、本発明に係る温熱ユニット２１を備える人体装着型の温熱装置２０を示す図であり、（ａ）は平面図、（ｂ）は横断面図である。
【００３７】
図５（ａ）に示すように、人体装着型の温熱装置２０は、温熱ユニット２１と、温熱ユニット２１を配置する本体部２７と、装着機構２９ａ、２９ｂとから構成される。本体部２７には温熱ユニット２１を着脱可能に収納できるポケット２４が備えられており、温熱ユニット２１を着脱することができる。図５（ａ）に示すように、ポケット２４は玉砂利保持体２２を収納している状態であるが、面状発熱体２３が矢印の方向にポケット２４内に挿入されて玉砂利保持体２２の上に積層される。装着機構２９ａ、２９ｂは、例えば面ファスナー等で互いに固定することができる。
【００３８】
玉砂利保持体２２は、縦２列、横４列の玉砂利２５が配置されており、幅１２ｃｍ〜１３ｃｍ、長さ２０ｃｍ〜２２ｃｍであるが、これに限定されることはなく、変更は可能である。
【００３９】
図５（ｂ）を参照すると、図５（ａ）において、温熱ユニット２１がポケット２４に収納された状態を示している。実施例３において、面状発熱体２３は、面内で均一に発熱するものであれば好適であり、電気的に発熱するものに限定されず、化学的に発熱するものでもよい。例えば、使い捨てカイロのような発熱体でもよい。なお、難燃性断熱材（図に示されない）は、玉砂利保持体２２が積層される面状発熱体２３の面とは他方の面に積層されて、ポケット２４内に収納されてもよい。
【００４０】
図５に示されるとおり、人体装着型の温熱装置２０は、温熱ユニット２１が着脱可能で軽量であるため、携帯に便利であるとともに、人体装着型の温熱装置２０自体の洗濯が容易となる。
【実施例４】
【００４１】
実施例４を図６及び図７を用いて説明する。
【００４２】
実施例４は、本発明に係る温熱ユニット３１を備えるベッド型の温熱装置３０に関するものである。図６は、本発明に係る温熱ユニット３１を備えるベッド型の温熱装置３０を示す図であり、（ａ）は斜視図、（ｂ）は平面図、（ｃ）は長手方向の縦断面図、（ｄ）は短手方向の縦断面図である。
【００４３】
図６（ａ）に示すように、ベッド型の温熱装置３０は、ベッド基台３９と、ベッド基台３９の略中央部に矩形に配置された温熱ユニット３１と、ベッド基台３９を支持する４本の脚３６（うち１本は図に示されない）と、後述する温熱ユニット３０の構成要素である面状発熱体３３に電気的に接続されるコントローラ３５を示している。
【００４４】
図６（ｂ）に示すように、温熱ユニット３１は、ベッド基台３９の略中央部に矩形に配置されているが、配置される大きさは、人が仰臥したときに、肩から腰、太腿にかけて温熱できうる範囲の大きさであるものが好ましい。実施例４において、温熱ユニット３１は、幅４０ｃｍ〜５０ｃｍ、長さ１３６ｃｍ〜１４０ｃｍであるが、これに限定されることはなく、変更は可能である。また、実施例４に使用される温熱ユニット３１について、玉砂利（図に示されない）は、大きさが直径２〜４ｃｍ程度の扁平のものを、幅方向に８列かつ長さ方向に２２列配置されるが、配置される玉砂利の個数は、種々変更することができる。
【００４５】
図６（ｃ）の長手方向の縦断面図には、上述した温熱ユニット３１が配置されるベッド基台３９の略中央部のベッド基台内部の構造が示されている。すなわち、ベッド基台３９の略中央部に矩形に上面開口した空間があり、底部に難燃性断熱材３８が配置され、その上に温熱ユニット３１が配置される。すなわち、温熱ユニット３１の構成要素である面状発熱体３３が難燃性断熱材３８の上に積層され、さらにその上に玉砂利保持体３２が配置されている。また、ベッド基台３９を支持する脚３６と、面状発熱体３３に電気的に接続されるコントローラ３５が示されている。図６（ｄ）は短手方向の縦断面図であるが、その構造は、図６（ｃ）の長手方向の縦断面図と同様であり説明は省略する。
【００４６】
面状発熱体３３は、面内で均一に発熱するものであれば好適であり、電気的に発熱するものに限定されず、化学的に発熱するものでもよい。実施例４の構成例では、面状発熱体３３は、電気不良導体の基板上に炭素粉末、又はこの粉末とポリエチレン粉末等の結合剤と混合した粉末を塗布・溶融して所要の電気抵抗を有する抵抗膜を形成し、発熱体とするとともに、両端に導線を取り付けて通電可能とした構造となっている。また、必要に応じて表面に電気不良導体の耐熱被膜を施して一体としたものでも良い。図６（ｃ）に示されるとおりコントローラ３５が設けられており、コントローラ３５を操作することにより、面状発熱体３３に通電する電気量を制御して所要の温度を設定することができる。
【００４７】
実施例４において、難燃性断熱材３８はウレタンが使用されるが、断熱効果が得られる部材、例えばポリエステル等の合成樹脂でもよい。
【００４８】
図７は、図６に係るベッド型の温熱装置３０について使用の状況を示す長手方向の断面図である。図７によると、人体Ｂが仰臥すると、人体Ｂの肩から腰ならびに太腿にいたる範囲が玉砂利保持体３２に接し、この範囲が温熱により温められるとともに、玉砂利保持体３２に含有される玉砂利（図に示されない）の石の厚みが、人体Ｂの体重により肌に食い込むことにより熱が体の奥まで伝達できるとともに、指圧効果を奏する。
【実施例５】
【００４９】
最後に、実施例５を図８を用いて説明する。
【００５０】
実施例５は、本発明に係る温熱ユニットを備える腰掛け装着型の温熱装置４０に関するものである。図８は、本発明に係る温熱ユニットを備える腰掛け装着型の温熱装置４０の使用の状況を模式的に示す図である。なお、図中の一点鎖線の矢印は、腰掛け装着型の温熱装置４０が腰掛け５０に配置される使用の状況を例示的に示している。
【００５１】
図８で示すように、腰掛け装着型の温熱装置４０は、図５において説明した実施例３に係る人体装着型の温熱装置２０と同じ構造のものである。したがって、ここでは詳細な説明は省略する。すなわち、上述人体装着型の温熱装置２０は必ずしも人体に取り付ける必要はなく、人が利用する装置側に取り付けることも可能である。
【００５２】
例えば、図８に示すように、腰かけ５０において、人体の腰部が接する部分５１、肩部が接する部分５２ａ、５２ｂ、臀部が接する部分５３、または足裏が接する部分５４等に、ポケット４４が位置するように装着機構４９ａ、４９ｂを着脱可能に取り付けて使用する腰掛け装着型の温熱装置４０とすることができる。なお、腰掛け５０において、ポケット４４は人体の腰部等に接する部分に位置するように説明しているが、例えば、人体の背面全体に接するポケット４４を有する腰掛け装着型の温熱装置４０であってもよい。
【００５３】
以上、本発明に係る温熱ユニットにおける好ましい実施形態を図示して説明してきたが、本発明の技術的範囲を逸脱することなく種々の変更が可能であることは理解されるであろう。
【産業上の利用可能性】
【００５４】
本発明の温熱ユニットは、公知の発熱体を積層することにより、ベッド、理容・美容用いす、人体装着型の温熱装置等に上下左右縦横自在に配置することができる。また軽量であるため携帯が可能であり、家庭用ならびに業務用に広く利用することができる。
【符号の説明】
【００５５】
１、２１、３１                  温熱ユニット
２、１２、２２，３２            玉砂利保持体
３、２３、３３                  面状発熱体
４ａ、４ｂ、１４ａ、１４ｂ      布
５、１５、２５                  玉砂利
６、１６                        収納室
１７                            遠赤外線機能体
２０                            人体装着型の温熱装置
２４、４４                      ポケット
２９ａ、２９ｂ、４９ａ、４９ｂ  装着機構
３０                            ベッド型の温熱装置
３８                            難燃性断熱材
３９                            ベッド基台
４０                            腰掛け装着型の温熱装置
【図１】
2012040212.tif 000003
【図２】
2012040212.tif 000004
【図３】
2012040212.tif 000005
【図４】
2012040212.tif 000006
【図５】
2012040212.tif 000007
【図６】
2012040212.tif 000008
【図７】
2012040212.tif 000009
【図８】
2012040212.tif 000010
【図９】
2012040212.tif 000011